(57)【特許請求の範囲】
【請求項１】
それぞれ有底で丸みを有する略三角筒状に形成されており嵌合された状態でその側面に余分の印象材を排出する排出部を形成する凹状部(1b)及び(3c)が設けられている上盒(３)及び下盒(１)と、下盒(１)の下底に貫通形成されている係合穴(1a)に係合部(2a)を下盒(１)内側から係合されその中央部が印象材の使用量を低減できるように上に凸を成す凸状部(2b)が形成されており背面側の一辺を除く周縁近傍に下盒(１)の下底との間に間隙を設けて設置される辺縁板(2c)に所定間隔毎に多数の貫通孔(2d)が穿設されている下印象材保持部材(２)と、上盒(３)の上底に貫通形成されている係合穴(3a)に上盒(３)内側から係合部(4a)を係合され上盒(３)の上底との間に間隙を設けて設置されその下面がフラットを成している対面板(4b)の全周縁の近傍に沿って多数の貫通孔(4c)が穿設されている上印象材保持部材(４)と、上盒(３)と下盒(１)との嵌合状態を維持するために上盒(３)の上底と下盒(１)の下底とにそれぞれ貫通形成されている係合穴(3a)，(1a)に係合部(5a)を係合される断面コ字状挾持部材(５)とから成ることを特徴とする仮義歯作製用歯科用フラスコ。
【請求項２】
上盒(３)の上底に余分の印象材(６)を排出するための排出口(3b)が貫通形成されている請求項１に記載の仮義歯作製用歯科用フラスコ。
【請求項３】
上盒(３)の下方に切欠き部(3e)が設けられている請求項１又は２に記載の仮義歯作製用歯科用フラスコ。
【請求項４】
総ての部材がガラス繊維で補強されたポリアセタ−ル樹脂製である請求項１から３までのいずれか１項に記載の仮義歯作製用歯科用フラスコ。
【発明の詳細な説明】
【０００１】
【発明の属する技術分野】
本発明は、義歯の補修や修理を行う必要が生じて術者が患者の義歯を一時的に預からねばならない際に、義歯の補修や修理が完了するまでの期間患者が使用するための仮義歯を作製するために使用する仮義歯作製用歯科用フラスコに関するものである。
【０００２】
【従来の技術】
患者にとって使い慣れた適合の良い義歯は生涯使用できればよいのであるが、実際には使用中に破損したり欠損したり、また顎提吸収等による患者の口腔内の変化等によって口腔内と義歯との不適合が原因となって、食物が噛めない，会話中に外れる，装着状態において粘膜面が痛い等の不都合が生じ始める。そのため、破損や適合の悪くなった義歯は補修や修理を行わねばならなくなる。
【０００３】
このような義歯の補修や修理を行わなければならない場合に、数日から数週間の間、患者から今まで使用していた義歯を預かって補修や修理を行う方法が広く実施されているが、この方法の場合には患者の義歯が無くなることになるので、義歯の補修や修理が完了するまでの間、今まで使用していた義歯と同様の仮義歯を作製する必要が生じる。
【０００４】
この仮義歯は、一時的な応急の義歯であるから、複雑な製造工程を経ること無く簡単且つ安価にしかも短時間で製作されるものではあるが、その形状と寸法精度とは患者が今まで使用していた義歯と同等のものであることが要求される。
【０００５】
従来、このような仮義歯を製造するには、金属製又は合成樹脂製の、筒状で上部が閉塞されている上盒と、筒状で下部が閉塞されている下盒とから成る上下に二分割される歯科用フラスコを準備し、先ず下盒内と上盒内との内面に盒内面と印象材とを接着させる接着剤を塗布した後に各盒内に主としてアルギン酸印象材を充填し、下盒内の印象材上に患者が今迄使用していた義歯を埋め込んだ後、上盒を下盒に嵌合させ余分の印象材を上盒及び／又は下盒に形成されている排出穴から排出させた後、下盒と上盒との嵌合状態を確実に維持して印象材を硬化させた後、下盒と上盒との嵌合状態を解除して上盒と下盒とを分割し、義歯を取り除いた後、下盒内の硬化した印象材の義歯を取り除いた凹みに仮義歯用レジンを流し込んで再度下盒に上盒を嵌合し仮義歯用レジンを硬化させて仮義歯を作製していた。
【０００６】
しかしながら、このような従来の歯科用フラスコは仮義歯の作製に使用する部分が上盒と下盒との実質的に２つの部材から成っており、且つこの２つの部材は共に筒状で端部が閉塞されているだけの形状であるため、使用する印象材の量が多くて不経済であるばかりでなく、硬化した印象材と上盒や下盒の内面とが接着剤で接着されているために１回使用する毎に清掃に要する手間が非常に大変であるという欠点があった。
【０００７】
【発明が解決しようとする課題】
本発明はかかる従来の仮義歯作製用歯科用フラスコの欠点を解消し、使用する印象材の量が少なく、且つ盒内面と印象材とを接着させる接着剤を使用しないので使用する毎に清掃に要する手間が少ない仮義歯作製用歯科用フラスコを提供することを課題とする。
【０００８】
【課題を解決するための手段】
本発明者らは前記課題を解決すべく鋭意研究の結果、それぞれ有底で丸みを有する略三角筒状に形成されており嵌合された状態でその側面に余分の印象材を排出する排出部を形成する凹状部が設けられている上盒及び下盒と、下盒の下底に貫通形成されている係合穴に係合部を下盒内側から係合されその中央部が印象材の使用量を低減できるように上に凸を成す凸状部が形成されており背面側の一辺を除く周縁近傍に下盒の下底との間に間隙を設けて設置される辺縁板に所定間隔毎に多数の貫通孔が穿設されている下印象材保持部材と、上盒の上底に貫通形成されている係合穴に上盒内側から係合部を係合され上盒の上底との間に間隙を設けて設置されその下面がフラットを成している対面板の全周縁の近傍に沿って多数の貫通孔が穿設されている上印象材保持部材と、上盒と下盒との嵌合状態を維持するために上盒の上底と下盒の下底とにそれぞれ貫通形成されている係合穴に係合部を係合される断面コ字状挾持部材とから仮義歯作製用歯科用フラスコを構成すればよいことを究明して本発明を完成したのである。
【０００９】
そして、上盒の上底に余分の印象材を排出するための排出口が貫通形成されていると、上盒内と下盒内とに充填した印象材の量が多かった場合に速やかに余分の印象材をフラスコ外に排出することができるばかりか上盒と下盒とを所望の嵌合状態にするために上盒を下盒に押し付ける力が少なくて作業が容易となり、上盒の下方に切欠き部が設けられていると下盒から上盒を取り外す作業や下盒と上盒との嵌合状態の確認や不要の印象材の排出が可能となり、総ての部材がガラス繊維で補強されたポリアセタ−ル樹脂製であると仮義歯用レジンが付着し難いので好ましいことも究明したのである。
【００１０】
【発明の実施の形態】
以下、図面により本発明に係る仮義歯作製用歯科用フラスコの１実施例について詳細に説明する。
図１は上盒と下盒とを嵌合状態にして断面コ字状挾持部材によりその嵌合状態を維持した本発明に係る仮義歯作製用歯科用フラスコの１実施例を示す側面図、図２は図１に示す本発明に係る仮義歯作製用歯科用フラスコの上盒と下盒とを嵌合状態にして断面コ字状挾持部材によりその嵌合状態を維持する前の状態を示す斜視図、図３は本発明に係る仮義歯作製用歯科用フラスコの下盒を上方より見た斜視図、図４は本発明に係る仮義歯作製用歯科用フラスコの下盒を下方より見た斜視図、図５は本発明に係る仮義歯作製用歯科用フラスコの下印象材保持部材を下方より見た斜視図、図６は本発明に係る仮義歯作製用歯科用フラスコの下印象材保持部材を係合させた下盒を上方より見た斜視図、図７は本発明に係る仮義歯作製用歯科用フラスコの上盒を上方より見た斜視図、図８は本発明に係る仮義歯作製用歯科用フラスコの上盒を下方より見た斜視図、図９は本発明に係る仮義歯作製用歯科用フラスコの上印象材保持部材を上方より見た斜視図、図１０は本発明に係る仮義歯作製用歯科用フラスコの上印象材保持部材を係合させた上盒を下方より見た斜視図、図１１は義歯を印象材中に埋没した本発明に係る仮義歯作製用歯科用フラスコの断面説明図である。
【００１１】
図面中、１は丸みを有する略三角筒状に樹脂や金属で形成されている下盒であり、その下底には係合穴1aが貫通形成されていると共に後述する上盒３が嵌合された状態でその側面に余分の印象材を排出するための排出部を形成するための凹状部1bが設けられている。
【００１２】
２は下盒１の下底に貫通形成されている係合穴1aに下盒１の内側から係合される係合部2aが下部の略中央に設けられていると共に上部の中央部が印象材の使用量を低減できるように上に凸を成す形状の凸状部2bが形成されており背面側の一辺を除く周縁近傍に下盒１の下底との間に間隙を設けて設置される辺縁板2cに所定間隔毎に多数の貫通孔2dが穿設されている樹脂や金属で形成されている下印象材保持部材である。
【００１３】
３は丸みを有する略三角筒状に樹脂や金属で形成されている上盒であり、その上底には係合穴3aと余分の印象材を排出するための排出口3bとが貫通形成されていると共に前述した下盒１が嵌合された状態でその側面に余分の印象材を排出するための排出部を形成するための凹状部3cが設けられている。そして、この上盒３の下方には下盒１の上方周囲に嵌合するようにスカート部3dと、この上盒３を下盒１から取り外す際に指が差し込んだり下盒１と上盒３との嵌合状態を確認したり上盒３を下盒１に嵌合させる初期に不要の印象材を排出させたりする切欠き部3eとが設けられている。ここで、上底に貫通形成されている余分の印象材を排出するための排出口3bや切欠き部3eは設けられていなくても良く、スカート部3dは下盒１に設けられていても差し支えない。
【００１４】
４は上盒３の上底に貫通形成されている係合穴3aに上盒３の内側から係合される係合部4aが上部の略中央に設けられていると共にその下面がフラットを成しており上盒３の上底との間に間隙を設けて設置される対面板4bの全周縁の近傍に沿って多数の貫通孔4cが穿設されている樹脂や金属で形成されている上印象材保持部材である。
【００１５】
５は上盒３と下盒１との嵌合状態を維持するために上盒３の上底と下盒１の下底とにそれぞれ貫通形成されている係合穴3a，1aに係合される係合部5aがそれぞれ両端部の内側に設けられている樹脂や金属で形成されている弾性を有する断面コ字状挾持部材である。
【００１６】
かかる構成の本発明に係る仮義歯作製用歯科用フラスコを用いて仮義歯を作製するには、先ず下盒１の下底に貫通形成されている係合穴1aに係合部2aを下盒１の内側から係合して下印象材保持部材２を取り付けると共に、上盒３の上底に貫通形成されている係合穴3aに上盒３の内側から係合部4aを係合して上印象材保持部材４を取り付ける。
【００１７】
次いで、下盒１内と上盒３内とに各盒１，３の内面に接着剤を塗布すること無く主としてアルギン酸印象材６を充填し、下盒１内の印象材６上に患者が今迄使用していた義歯７を埋め込んだ後、上盒３をそのスカート部3dによって下盒１に嵌合させ余分の印象材６を上盒３と下盒１とに設けられている凹状部1b，3cによって形成された排出部及び上盒３の上底に排出口3bが貫通形成されている場合にはこの排出口3bから余分の印象材６を排出させた後、上盒３の上底と下盒１の下底とにそれぞれ貫通形成されている係合穴3a，1aに断面コ字状挾持部材５の係合部5aをその弾性を利用して係合させて下盒１と上盒３との嵌合状態を確実に維持して図１１に示す状態にして印象材６を硬化させる。
【００１８】
しかる後、上盒３の上底と下盒１の下底とにそれぞれ貫通形成されている係合穴3a，1aに係合している係合部5aを断面コ字状挾持部材５の弾性を利用して係合穴3a，1aから外して断面コ字状挾持部材５を下盒１と上盒３とから外した後、下盒１と上盒３との嵌合状態を解除して上盒３と下盒１とを分割し、下盒１内の印象材６内から義歯７を取り外した後、下盒１内の硬化した印象材６の義歯７を取り外した凹みに仮義歯用レジンを流し込んで再度下盒１に上盒３をスカート部3dによって嵌合し、上盒３の上底と下盒１の下底とにそれぞれ貫通形成されている係合穴3a，1aに断面コ字状挾持部材５の係合部5aをその弾性を利用して係合させて下盒１と上盒３との嵌合状態を確実に維持して仮義歯用レジンを硬化させる。
【００１９】
かくして仮義歯用レジンの硬化が完了したら、再度上盒３の上底と下盒１の下底とにそれぞれ貫通形成されている係合穴3a，1aに係合している係合部5aを断面コ字状挾持部材５の弾性を利用して係合穴3a，1aから外して断面コ字状挾持部材５を下盒１と上盒３とから外した後、下盒１と上盒３との嵌合状態を解除して上盒３と下盒１とを分割し、仮義歯用レジンの硬化した仮義歯を下盒１内の印象材６内から取り外すのである。
【００２０】
かかる操作において、義歯及び仮義歯用レジンの硬化した仮義歯にはアンダーカット部のような印象材から取り外す操作が困難な部位が存在する場合があるが、アルギン酸印象材６は硬化しても或る程度の弾性を有しているので多少変形させて義歯を取り外しても仮義歯用レジンを用いて仮義歯を正確に作成するのに支障がない。
【００２１】
しかしながら、このように印象材６を多少変形させながら義歯を取り外す際に印象材が上盒３内及び下盒１内から抜け出てしまうような現象が発生すると、その後の仮義歯用レジンを流し込んで仮義歯を正確に作製することができないため、硬化した印象材６が上盒３及び下盒１に確実に保持されていることが必要であり、従来は上盒及び下盒の内面に接着剤の作用によって印象材を固着していたので問題は生じなかったのであるが、その代わり１回使用する毎に清掃に要する手間が非常に大変であったのである。
これに対し、本発明においては他の部材に付着し難いアルギン酸印象材６を接着剤を使用しないで直ちに使用することを目的とするものであるので、下印象材保持部材２には下盒１の下底との間に間隙を設けて設置される辺縁板2cに所定間隔毎に多数の貫通孔2dが、また上印象材保持部材４には上盒３の上底との間に間隙を設けて設置される対面板4bの全周縁の近傍に沿って多数の貫通孔4cがそれぞれ穿設されていて、これらの貫通孔2d，4cを貫通した印象材６が下印象材保持部材２の辺縁板2c，上印象材保持部材４の対面板4bの上下に存在する印象材６と結合して上盒３及び下盒１に確実に保持させることにより、印象材６が上盒３内及び下盒１内から抜け出てしまうような現象が発生することを防止しているのである。
【００２２】
そして、仮義歯用レジンの硬化した仮義歯を下盒１内の印象材６内から取り外した後は、印象材６を引きちぎるようにして下盒１及び下印象材保持部材２と、上盒３及び上印象材保持部材４とからそれぞれ除去すれば、特に手間を掛けて清掃しなくても下盒１，下印象材保持部材２，上盒３，上印象材保持部材４は再使用可能な状態となり、また印象材６の硬化前に下盒１及び上盒３内から排出された印象材６が断面コ字状挾持部材５に付着していても、この付着した印象材６も容易に断面コ字状挾持部材５から除去できるのである。
【００２３】
また、硬化した印象材６を貫通孔2d，4cで保持していた下印象材保持部材２，上印象材保持部材４は、その係合部2a，4aを下盒１の下底に貫通形成されている係合穴1a，上盒３の上底に貫通形成されている係合穴3aとの係合を解除して下盒１，上盒３から取り外すことができるので、硬化した印象材６を除去することは極めて容易である。
【００２４】
そして、本発明に係る仮義歯作製用歯科用フラスコを構成する下盒１，下印象材保持部材２，上盒３，上印象材保持部材４及び断面コ字状挾持部材５を構成する各素材は、ナイロンやポリオレフィンやポリエステル等の各種樹脂や、アルミニウム等の金属で構成すれば良いが、ガラス繊維で補強されたポリアセタ−ル樹脂製で構成すると仮義歯用レジンが付着し難いのでより好ましい。
【００２５】
【発明の効果】
以上に詳述した如く、本発明に係る仮義歯作製用歯科用フラスコは、仮義歯作製用に使用する印象材を上下の盒に接着させる接着剤を使用しないことによって仮義歯作製後の清掃の手間を非常に少なくしたことに起因して仮義歯作製作業中に仮義歯作製用に使用する印象材が上盒及び下盒から抜け出てしまうような現象を、下印象材保持部材の下盒の下底との間に間隙を設けて設置される辺縁板及び上印象材保持部材の上盒の上底との間に間隙を設けて設置される対面板にそれぞれ穿設されている多数の貫通孔の効果により防止し、これらの貫通孔を貫通した印象材が下印象材保持部材の辺縁板，上印象材保持部材の対面板から除去し難い現象は下印象材保持部材及び上印象材保持部材を下盒及び上盒から簡単に取り外しできることにより解消し、更に下印象材保持部材はその中央部が凸を成す凸状部が形成されているため印象材の使用量を低減できる効果も有しているのであり、このような種々の効果を有する本発明の歯科分野に貢献する価値は非常に大きなものである。
【図面の簡単な説明】
【図１】上盒と下盒とを嵌合状態にして断面コ字状挾持部材によりその嵌合状態を維持した本発明に係る仮義歯作製用歯科用フラスコの１実施例を示す側面図である。
【図２】図１に示す本発明に係る仮義歯作製用歯科用フラスコの上盒と下盒とを嵌合状態にして断面コ字状挾持部材によりその嵌合状態を維持する前の状態を示す斜視図である。
【図３】本発明に係る仮義歯作製用歯科用フラスコの下盒を上方より見た斜視図である。
【図４】本発明に係る仮義歯作製用歯科用フラスコの下盒を下方より見た斜視図である。
【図５】本発明に係る仮義歯作製用歯科用フラスコの下印象材保持部材を下方より見た斜視図である。
【図６】本発明に係る仮義歯作製用歯科用フラスコの下印象材保持部材を係合させた下盒を上方より見た斜視図である。
【図７】本発明に係る仮義歯作製用歯科用フラスコの上盒を上方より見た斜視図である。
【図８】本発明に係る仮義歯作製用歯科用フラスコの上盒を下方より見た斜視図である。
【図９】本発明に係る仮義歯作製用歯科用フラスコの上印象材保持部材を上方より見た斜視図である。
【図１０】本発明に係る仮義歯作製用歯科用フラスコの上印象材保持部材を係合させた上盒を下方より見た斜視図である。
【図１１】義歯を印象材中に埋没した本発明に係る仮義歯作製用歯科用フラスコの断面説明図である。
【符号の説明】
１  下盒
1a  係合穴
1b  凹状部
２  下印象材保持部材
2a  係合部
2b  凸状部
2c  辺縁板
2d  貫通孔
３  上盒
3a  係合穴
3b  排出口
3c  凹状部
3d  スカート部
3e  切欠き部
４  上印象材保持部材
4a  係合部
4b  対面板
4c  貫通孔
５  断面コ字状挾持部材
5a  係合部
６  印象材
７  義歯
【図１】
0004118465.tif 000002
【図２】
0004118465.tif 000003
【図３】
0004118465.tif 000004
【図４】
0004118465.tif 000005
【図５】
0004118465.tif 000006
【図６】
0004118465.tif 000007
【図７】
0004118465.tif 000008
【図８】
0004118465.tif 000009
【図９】
0004118465.tif 000010
【図１０】
0004118465.tif 000011
【図１１】
0004118465.tif 000012